【手続補正書】
【提出日】平成20年7月24日(2008.7.24)
【手続補正１】
【補正対象書類名】明細書
【補正対象項目名】発明の名称
【補正方法】変更
【補正の内容】
【発明の名称】撮像方法及び撮像装置  
【手続補正２】
【補正対象書類名】明細書
【補正対象項目名】特許請求の範囲
【補正方法】変更
【補正の内容】
【特許請求の範囲】
【請求項１】  カメラ側マウントを有するカメラ本体と、該カメラ側マウントと結合するレンズ側マウントを有する撮影レンズとから成る撮像装置により撮像する撮像方法であって、
前記撮影レンズのイメージサイズを表わす情報を前記カメラ本体に入力する入力ステップと、
前記入力ステップにより入力された前記情報に基づき前記撮影レンズのイメージサイズがそのままで前記カメラ本体に適合するか否かを判定する判定ステップと、
前記判定ステップにより不適合と判定され場合に前記撮影レンズによって形成される撮像素子上の像を表わす画像信号に対して信号処理を行うことによって前記撮影レンズのイメージサイズに前記カメラ本体を適合させる適合ステップと、
前記撮像素子への露光量を測定するために複数に分割された測光エリアをグループ化するグルーピングステップと、
前記グルーピングステップによりグループ化する測光エリアを前記撮影レンズのイメージサイズを表わす情報に基づいて変更するグルーピング領域変更ステップとを有することを特徴とする撮像方法。
【請求項２】  カメラ側マウントを有するカメラ本体と、該カメラ側マウントと結合するレンズ側マウントを有する撮影レンズとから成る撮像装置であって、
前記撮影レンズのイメージサイズを表わす情報を前記カメラ本体に入力する入力手段と、
前記入力手段により入力された前記情報に基づき前記撮影レンズのイメージサイズがそのままで前記カメラ本体に適合するか否かを判定する判定手段と、
前記判定手段により不適合と判定され場合に前記撮影レンズによって形成される撮像素子上の像を表わす画像信号に対して信号処理を行うことによって前記撮影レンズのイメージサイズに前記カメラ本体を適合させる適合手段と、
前記撮像素子への露光量を測定するために複数に分割された測光エリアをグループ化するグルーピング手段と、
前記グルーピング手段によりグループ化する測光エリアを前記撮影レンズのイメージサイズを表わす情報に基づいて変更するグルーピング領域変更手段とを有することを特徴とする撮像装置。
【請求項３】  前記適合手段は、電子回路により前記撮影素子上における像を表わす信号に対して信号処理を行うことを特徴とする請求項２記載の撮像装置。
【請求項４】  前記適合手段は、前記撮影素子上における像の所定範囲に対応する像を拡大する拡大手段により、前記撮影レンズのイメージサイズに前記カメラ本体を適合させることを特徴とする請求項２記載の撮像装置。
【請求項５】  前記拡大手段は、電子ズームであることを特徴とする請求項２または８記載の撮像装置。
【請求項６】  前記撮像装置は、電子カメラであることを特徴とする請求項２乃至５のいずれかに記載の撮像装置。
【請求項７】  前記測光エリアグループのエリア外形は、前記グルーピングステップによりグルーピング領域が変更されても相似形であることを特徴とする請求項１記載の撮像方法。
【請求項８】  前記測光エリアグループのエリア外形は、前記グルーピング手段によりグルーピング領域が変更されても相似形であることを特徴とする請求項６記載の撮像装置。
【請求項９】  カメラ側マウントを有するカメラ本体と、該カメラ側マウントと結合するレンズ側マウントを有する撮影レンズとから成る撮像装置であって、
前記撮影レンズのイメージサイズを表わす情報を前記カメラ本体に入力する入力手段と、
前記入力手段により入力された前記情報に基づき前記撮影レンズのイメージサイズがそのままで前記カメラ本体に適合するか否かを判定する判定手段と、
前記判定手段により不適合と判定され場合に前記撮影レンズによって形成される撮像素子上の像を表わす画像信号に対して信号処理を行うことによって前記撮影レンズのイメージサイズに前記カメラ本体を適合させる適合手段と、
前記撮像素子への露光量を測定するために複数に分割された測光エリア毎の重み付けを前記撮影レンズのイメージサイズを表わす情報に基づいて変更する重み付け変更手段と、
前記重み付け変更手段の出力に基づき前記撮像素子への露出量を演算する演算手段とを有することを特徴とする撮像装置。
【請求項１０】  前記適合手段は、電子回路により前記撮影素子上における像を表わす信号に対して信号処理を行うことを特徴とする請求項９記載の撮像装置。
【請求項１１】  前記適合手段は、前記撮影素子上における像の所定範囲に対応する像を拡大する拡大手段により、前記撮影レンズのイメージサイズに前記カメラ本体を適合させることを特徴とする請求項９記載の撮像装置。
【請求項１２】  前記拡大手段は、電子ズームであることを特徴とする請求項９または１１記載の撮像装置。
【請求項１３】  前記撮像装置は、電子カメラであることを特徴とする請求項９乃至１２のいずれかに記載の撮像装置。
【請求項１４】  カメラ側マウントを有するカメラ本体と、該カメラ側マウントと結合するレンズ側マウントを有する撮影レンズとから成る撮像装置により撮像する撮像方法であって、
前記撮影レンズのイメージサイズを表わす情報を前記カメラ本体に入力する入力ステップと、
前記入力ステップにより入力された前記情報に基づき前記撮影レンズのイメージサイズがそのままで前記カメラ本体に適合するか否かを判定する判定ステップと、
前記判定ステップにより不適合と判定され場合に前記撮影レンズによって形成される撮像素子上の像を表わす画像信号に対して信号処理を行うことによって前記撮影レンズのイメージサイズに前記カメラ本体を適合させる適合ステップと、
前記撮像素子への露光量を測定するために複数に分割された測光エリア毎の重み付けを前記適合ステップにより選択された撮像素子の所定範囲に対応して変更する重み付け変更ステップと、
前記重み付け変更ステップの出力に基づき前記撮像素子への露出量を演算する演算ステップとを有することを特徴とする撮像方法。
【請求項１５】  カメラ側マウントを有するカメラ本体と、該カメラ側マウントと結合するレンズ側マウントを有する撮影レンズとから成る撮像装置であって、
前記撮影レンズのイメージサイズを表わす情報を前記カメラ本体に入力する入力手段と、
前記入力手段により入力された前記情報に基づき前記撮影レンズのイメージサイズがそのままで前記カメラ本体に適合するか否かを判定する判定手段と、
前記判定手段により不適合と判定され場合に前記撮影レンズによって形成される撮像素子上の像を表わす画像信号に対して信号処理を行うことによって前記撮影レンズのイメージサイズに前記カメラ本体を適合させる適合手段と、
前記撮像素子への露光量を測定するために複数に分割された測光エリア毎の重み付けを前記適合手段により選択された撮像素子の所定範囲に対応して変更する重み付け変更手段と、
前記重み付け変更手段の出力に基づき前記撮像素子への露出量を演算する演算手段とを有することを特徴とする撮像装置。
【手続補正３】
【補正対象書類名】明細書
【補正対象項目名】０００１
【補正方法】変更
【補正の内容】
【０００１】
【発明の属する技術分野】
本発明は、レンズ交換可能な電子カメラ等の撮像装置により撮像する撮像方法、及び撮像装置に関する。
【手続補正４】
【補正対象書類名】明細書
【補正対象項目名】００１３
【補正方法】変更
【補正の内容】
【００１３】
本発明は上述したような従来技術の有する問題点を解消するためになされたもので、その第１の目的は、撮影レンズのイメージサイズの大きさに応じてケラレがなく且つ適切な露出の画像データを得ることが可能な撮像方法及び撮像装置を提供することである。
【手続補正５】
【補正対象書類名】明細書
【補正対象項目名】００１４
【補正方法】変更
【補正の内容】
【００１４】
また、本発明の第２の目的は、撮影レンズのイメージサイズの大きさに応じてケラレがなく且つ適切な露出の画像データを得ることが可能で、しかも、カメラシーケンスの複雑化を招かない撮像方法及び撮像装置を提供することである。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
また、上記第１の目的を達成するために本発明の請求項２記載の撮像装置は、カメラ側マウントを有するカメラ本体と、該カメラ側マウントと結合するレンズ側マウントを有する撮影レンズとから成る撮像装置であって、前記撮影レンズのイメージサイズを表わす情報を前記カメラ本体に入力する入力手段と、前記入力手段により入力された前記情報に基づき前記撮影レンズのイメージサイズがそのままで前記カメラ本体に適合するか否かを判定する判定手段と、前記判定手段により不適合と判定され場合に前記撮影レンズによって形成される撮像素子上の像を表わす画像信号に対して信号処理を行うことによって前記撮影レンズのイメージサイズに前記カメラ本体を適合させる適合手段と、前記撮像素子への露光量を測定するために複数に分割された測光エリアをグループ化するグルーピング手段と、前記グルーピング手段によりグループ化する測光エリアを前記撮影レンズのイメージサイズを表わす情報に基づいて変更するグルーピング領域変更手段とを有することを特徴とする。
【手続補正１１】
【補正対象書類名】明細書
【補正対象項目名】００２１
【補正方法】変更
【補正の内容】
【００２１】
また、上記第１の目的を達成するために本発明の請求項３記載の撮像装置は、請求項２記載の撮像装置において、前記適合手段は、電子回路により前記撮影素子上における像を表わす信号に対して信号処理を行うことを特徴とする。
【手続補正１２】
【補正対象書類名】明細書
【補正対象項目名】００２２
【補正方法】変更
【補正の内容】
【００２２】
また、上記第１の目的を達成するために本発明の請求項４記載の撮像装置は、請求項６記載の撮像装置において、前記適合手段は、前記撮影素子上における像の所定範囲に対応する像を拡大する拡大手段により、前記撮影レンズのイメージサイズに前記カメラ本体を適合させることを特徴とする。
【手続補正１３】
【補正対象書類名】明細書
【補正対象項目名】００２３
【補正方法】変更
【補正の内容】
【００２３】
また、上記第１の目的を達成するために本発明の請求項５記載の撮像装置は、請求項２または４記載の撮像装置において、前記拡大手段は、電子ズームであることを特徴とする。
【手続補正１４】
【補正対象書類名】明細書
【補正対象項目名】００２４
【補正方法】変更
【補正の内容】
【００２４】
また、上記第１の目的を達成するために本発明の請求項６記載の撮像装置は、請求項２乃至５のいずれかに記載の撮像装置において、前記撮像装置は、電子カメラであることを特徴とする。
【手続補正１５】
【補正対象書類名】明細書
【補正対象項目名】００２５
【補正方法】変更
【補正の内容】
【００２５】
また、上記第２の目的を達成するために本発明の請求項７記載の撮像方法は、請求項１記載の撮像方法において、前記測光エリアグループのエリア外形は、前記グルーピングステップによりグルーピング領域が変更されても相似形であることを特徴とする。
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】変更
【補正の内容】
【００３０】
また、上記第２の目的を達成するために本発明の請求項８記載の撮像装置は、請求項２記載の撮像装置において、前記測光エリアグループのエリア外形は、前記グルーピング手段によりグルーピング領域が変更されても相似形であることを特徴とする。
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】変更
【補正の内容】
【００４０】
また、上記第１の目的を達成するために本発明の請求項９記載の撮像装置は、カメラ側マウントを有するカメラ本体と、該カメラ側マウントと結合するレンズ側マウントを有する撮影レンズとから成る撮像装置であって、前記撮影レンズのイメージサイズを表わす情報を前記カメラ本体に入力する入力手段と、前記入力手段により入力された前記情報に基づき前記撮影レンズのイメージサイズがそのままで前記カメラ本体に適合するか否かを判定する判定手段と、前記判定手段により不適合と判定され場合に前記撮影レンズによって形成される撮像素子上の像を表わす画像信号に対して信号処理を行うことによって前記撮影レンズのイメージサイズに前記カメラ本体を適合させる適合手段と、前記撮像素子への露光量を測定するために複数に分割された測光エリア毎の重み付けを前記撮影レンズのイメージサイズを表わす情報に基づいて変更する重み付け変更手段と、前記重み付け変更手段の出力に基づき前記撮像素子への露出量を演算する演算手段とを有することを特徴とする。
【手続補正３１】
【補正対象書類名】明細書
【補正対象項目名】００４１
【補正方法】変更
【補正の内容】
【００４１】
また、上記第１の目的を達成するために本発明の請求項１０記載の撮像装置は、請求項９記載の撮像装置において、前記適合手段は、電子回路により前記撮影素子上における像を表わす信号に対して信号処理を行うことを特徴とする。
【手続補正３２】
【補正対象書類名】明細書
【補正対象項目名】００４２
【補正方法】変更
【補正の内容】
【００４２】
また、上記第１の目的を達成するために本発明の請求項１１記載の撮像装置は、請求項９記載の撮像装置において、前記適合手段は、前記撮影素子上における像の所定範囲に対応する像を拡大する拡大手段により、前記撮影レンズのイメージサイズに前記カメラ本体を適合させることを特徴とする。
【手続補正３３】
【補正対象書類名】明細書
【補正対象項目名】００４３
【補正方法】変更
【補正の内容】
【００４３】
また、上記第１の目的を達成するために本発明の請求項１２記載の撮像装置は、請求項９または１１記載の撮像装置において、前記拡大手段は、電子ズームであることを特徴とする。
【手続補正３４】
【補正対象書類名】明細書
【補正対象項目名】００４４
【補正方法】変更
【補正の内容】
【００４４】
また、上記第１の目的を達成するために本発明の請求項１３記載の撮像装置は、請求項９乃至１２のいずれかに記載の撮像装置において、前記撮像装置は、電子カメラであることを特徴とする。
【手続補正３５】
【補正対象書類名】明細書
【補正対象項目名】００４５
【補正方法】変更
【補正の内容】
【００４５】
また、上記第１の目的を達成するために本発明の請求項１４記載の撮像方法は、カメラ側マウントを有するカメラ本体と、該カメラ側マウントと結合するレンズ側マウントを有する撮影レンズとから成る撮像装置により撮像する撮像方法であって、前記撮影レンズのイメージサイズを表わす情報を前記カメラ本体に入力する入力ステップと、前記入力ステップにより入力された前記情報に基づき前記撮影レンズのイメージサイズがそのままで前記カメラ本体に適合するか否かを判定する判定ステップと、前記判定ステップにより不適合と判定され場合に前記撮影レンズによって形成される撮像素子上の像を表わす画像信号に対して信号処理を行うことによって前記撮影レンズのイメージサイズに前記カメラ本体を適合させる適合ステップと、前記撮像素子への露光量を測定するために複数に分割された測光エリア毎の重み付けを前記適合ステップにより選択された撮像素子の所定範囲に対応して変更する重み付け変更ステップと、前記重み付け変更ステップの出力に基づき前記撮像素子への露出量を演算する演算ステップとを有することを特徴とする。
【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】削除
【補正の内容】
【手続補正３８】
【補正対象書類名】明細書
【補正対象項目名】００４８
【補正方法】削除
【補正の内容】
【手続補正３９】
【補正対象書類名】明細書
【補正対象項目名】００４９
【補正方法】削除
【補正の内容】
【手続補正４０】
【補正対象書類名】明細書
【補正対象項目名】００５０
【補正方法】変更
【補正の内容】
【００５０】
また、上記第１の目的を達成するために本発明の請求項１５記載の撮像装置は、カメラ側マウントを有するカメラ本体と、該カメラ側マウントと結合するレンズ側マウントを有する撮影レンズとから成る撮像装置であって、前記撮影レンズのイメージサイズを表わす情報を前記カメラ本体に入力する入力手段と、前記入力手段により入力された前記情報に基づき前記撮影レンズのイメージサイズがそのままで前記カメラ本体に適合するか否かを判定する判定手段と、前記判定手段により不適合と判定され場合に前記撮影レンズによって形成される撮像素子上の像を表わす画像信号に対して信号処理を行うことによって前記撮影レンズのイメージサイズに前記カメラ本体を適合させる適合手段と、前記撮像素子への露光量を測定するために複数に分割された測光エリア毎の重み付けを前記適合手段により選択された撮像素子の所定範囲に対応して変更する重み付け変更手段と、前記重み付け変更手段の出力に基づき前記撮像素子への露出量を演算する演算手段とを有することを特徴とする。
【手続補正４１】
【補正対象書類名】明細書
【補正対象項目名】００５１
【補正方法】削除
【補正の内容】
【手続補正４２】
【補正対象書類名】明細書
【補正対象項目名】００５２
【補正方法】削除
【補正の内容】
【手続補正４３】
【補正対象書類名】明細書
【補正対象項目名】００５３
【補正方法】削除
【補正の内容】
【手続補正４４】
【補正対象書類名】明細書
【補正対象項目名】００５４
【補正方法】削除
【補正の内容】
【手続補正４５】
【補正対象書類名】明細書
【補正対象項目名】００５５
【補正方法】削除
【補正の内容】
【手続補正４６】
【補正対象書類名】明細書
【補正対象項目名】００５６
【補正方法】削除
【補正の内容】
【手続補正４７】
【補正対象書類名】明細書
【補正対象項目名】００５７
【補正方法】削除
【補正の内容】
【手続補正４８】
【補正対象書類名】明細書
【補正対象項目名】００５８
【補正方法】削除
【補正の内容】
【手続補正４９】
【補正対象書類名】明細書
【補正対象項目名】００５９
【補正方法】削除
【補正の内容】
【手続補正５０】
【補正対象書類名】明細書
【補正対象項目名】００６０
【補正方法】削除
【補正の内容】
【手続補正５１】
【補正対象書類名】明細書
【補正対象項目名】００６１
【補正方法】削除
【補正の内容】
【手続補正５２】
【補正対象書類名】明細書
【補正対象項目名】００６２
【補正方法】削除
【補正の内容】
【手続補正５３】
【補正対象書類名】明細書
【補正対象項目名】００６３
【補正方法】削除
【補正の内容】
【手続補正５４】
【補正対象書類名】明細書
【補正対象項目名】００６４
【補正方法】削除
【補正の内容】
【手続補正５５】
【補正対象書類名】明細書
【補正対象項目名】００６５
【補正方法】削除
【補正の内容】
【手続補正５６】
【補正対象書類名】明細書
【補正対象項目名】００６６
【補正方法】削除
【補正の内容】
【手続補正５７】
【補正対象書類名】明細書
【補正対象項目名】００６７
【補正方法】削除
【補正の内容】
【手続補正５８】
【補正対象書類名】明細書
【補正対象項目名】００６８
【補正方法】削除
【補正の内容】
【手続補正５９】
【補正対象書類名】明細書
【補正対象項目名】００６９
【補正方法】削除
【補正の内容】
【手続補正６０】
【補正対象書類名】明細書
【補正対象項目名】００７０
【補正方法】削除
【補正の内容】
【手続補正６１】
【補正対象書類名】明細書
【補正対象項目名】００７１
【補正方法】削除
【補正の内容】
【手続補正６２】
【補正対象書類名】明細書
【補正対象項目名】００７２
【補正方法】削除
【補正の内容】
【手続補正６３】
【補正対象書類名】明細書
【補正対象項目名】００７３
【補正方法】削除
【補正の内容】
【手続補正６４】
【補正対象書類名】明細書
【補正対象項目名】００７４
【補正方法】削除
【補正の内容】
【手続補正６５】
【補正対象書類名】明細書
【補正対象項目名】００７５
【補正方法】削除
【補正の内容】